(57)【要約】【課題】ＰＴＰシートの封止シートにラベルを貼り付けるだけの簡単な操作で、ＰＴＰシートに収容された錠剤等の薬剤を安全に収容し、子供が取り出すことは難しく、成人には取り出し易いＰＴＰシート用包装体を提供する。【解決手段】ＰＴＰシート１２に貼り付けられるラベル１４を備える。ラベル１４は、ＰＴＰシート１２の封止シート２６に接着剤２２０を介して貼り付けられ、突出部２２ａを覆う面積を有し、高い破断強度を有するとともに、接着剤２０の取付強度よりも弱い力で層間剥離する。ラベル１４を貼り付けた状態で、ＰＴＰシート１２から商品２４の取り出しを阻止する遮蔽状態であり、ラベル１４を剥がした状態では取り出しが可能な開放状態であり、開放状態では、ラベル１４が層間剥離を起こしてラベル１４の一部が薄膜となって封止シート２６に残り、封止シート２６を所定の力以上で破断するように破断強度を高める。提供する。【選択図】図１
2015009888.tif 000002
【特許請求の範囲】
【請求項１】
薬剤等の商品を内側に収容した複数の突出部と前記突出部の周囲に設けられたフランジ部を有するプラスチック成形体に、破断可能な封止シートが取り付けられて前記突出部の開口部が閉鎖されたＰＴＰシートに貼り付けられるラベルが設けられ、前記ラベルは、前記ＰＴＰシートの前記封止シートに接着剤を介して貼り付けられ、前記突出部を覆う面積を有する所定形状にカットされ、高い破断強度を有し、前記ラベルは前記接着剤の前記封止シートへの取付強度よりも弱い力で層間剥離するものであり、前記ラベルを貼り付けられた状態で前記ＰＴＰシートから収容物の取り出しを阻止する遮蔽状態であり、前記ラベルを剥がした状態では取り出しが可能な開放状態であり、前記開放状態では、前記ラベルを剥がすときに前記ラベルが層間剥離を起こして前記ラベルの一部が薄膜となって前記封止シートに残り、前記薄膜は前記封止シートを所定の力以上で破断するように破断強度を高めることを特徴とするＰＴＰシート用包装体。
【請求項２】
前記ラベルは合成紙であり、前記合成紙の厚みの途中には層間強度が弱い剥離層が設けられ、前記合成紙を前記ＰＴＰシートの前記封止シートから剥がした時に前記合成紙の一部が前記薄膜となり前記封止シートに残る請求項１記載のＰＴＰシート用包装体。
【請求項３】
前記ラベルは高い破断強度を有する表面紙と、前記表面紙に剥離剤を介して接着されたぜい質シートが設けられ、前記ぜい質シート側の面に前記接着剤が設けられて前記ＰＴＰシートの前記封止シートに貼り付けられ、前記表面紙を前記ＰＴＰシートの前記封止シートから剥がした時に前記ぜい質シートが前記薄膜となり前記封止シートに残る請求項１記載のＰＴＰシート用包装体。
【請求項４】
前記ラベルには前記ＰＴＰシートの前記突出部どうしを区切る破断線が設けられ、前記ラベルを剥がすときに前記破断線を切断して必要な個数の前記突出部を開放状態とし、周辺の前記突出部は遮蔽状態を維持する請求項１，２または３記載のＰＴＰシート用包装体。
【請求項５】
前記ＰＴＰシートの前記突出部側の面に、所定の強度を有し前記突出部が挿通される孔部が形成された台紙が設けられ、前記台紙は前記ＰＴＰシートよりも大きく形成され、前記ラベルは前記ＰＴＰシートよりも大きく形成され、前記ＰＴＰシートを前記台紙に取り付けた状態で、前記ＰＴＰシートの前記封止シートと、前記封止シートから露出する前記台紙に、前記ラベルが貼り付けられ、前記ＰＴＰシートは前記台紙と前記ラベルに挟まれて保持されている請求項１，２または３記載のＰＴＰシート用包装体。
【請求項６】
前記ＰＴＰシートの前記突出部側の面に、所定の強度を有し前記突出部が挿通される孔部が形成された台紙が設けられ、前記台紙は前記ＰＴＰシートよりも大きく形成され前記ＰＴＰシートよりも側方に突出した側縁部に破断線で区切られた摘み部が形成され、前記ラベルは前記ＰＴＰシートよりも大きく形成され、前記ＰＴＰシートの前記突出部どうしを区切る破断線が設けられ、前記ＰＴＰシートを前記台紙に取り付けた時、前記ＰＴＰシートの前記封止シートと、前記封止シートから露出する前記台紙の前記摘み部に前記ラベルが貼り付けられ、前記ＰＴＰシートは前記台紙と前記ラベルに挟まれて保持され、前記ラベルの前記破断線は前記摘み部の側縁部の延長線上に設けられ、前記台紙の前記摘み部を保持して前記破断線を切断して取り外すと、前記摘み部に貼り付けられている前記ラベルが追随して外され前記ラベルの前記破断線が切断されて必要な部分の前記ラベルが剥がされて開放状態となる請求項１又は４記載のＰＴＰシート用包装体。
【発明の詳細な説明】
【技術分野】
【０００１】
この発明は、ＰＴＰシートにラベルを貼り付けて包装したＰＴＰシート用包装体に関する。
【背景技術】
【０００２】
従来、錠剤の包装技術としてＰＴＰシートがある。ＰＴＰ（Press Through Package）シートは、合成樹脂で作られたプラスチック成形体を有し、プラスチック成形体には錠剤を収容する空間を有した突出部と、突出部の周縁部に形成されたフランジ部が一体に成形されている。ＰＴＰシートは、突出部と反対側の面にアルミ箔等の破断可能な封止シートが貼り付けられて、突出部の空間が閉鎖され、錠剤を密閉している。錠剤を取り出すときは、突出部を指で押し、錠剤を封止シートに押し付けて封止シートを破断し、破断した部分から取り出すものである。
【０００３】
そして、ＰＴＰシートの封止シートを容易に破断できないようにして子供が錠剤を取り出すことを防ぐものがある。例えば、特許文献１に開示されているブリスターパックは、フェースパネルとバックパネルとの間に密封されている。フェースパネルには、ＰＴＰシートのプラスチック成形体突出部が嵌合される開口部と、ミシン線で囲まれたフェースタブが設けられている。バックパネルには、ＰＴＰシートに対向する内側面と、反対の外側面で異なる形状のハーフカット線が設けられ、内側面には、ＰＴＰシートの突出部に対向する位置にハーフカット線で囲まれたゲート部と、フェースパネルがバックパネルに重ねられた時にフェースタブが対向する位置にフェースタブと同形状のバックタブが形成されている。そして、バックパネルの外側面には、ゲート部とバックタブを覆う面積にタブストリップが設けられている。ＰＴＰシートの収容物を取り出すときは、フェースパネルのフェースタブを押して、フェースタブとバックタブを押し破って、バックパネルからタブストリップを剥離しながら引き離す。バックパネルにはタブストリップで残された薄膜が残り、この状態でＰＴＰシートの突出部を押すと、封止シートと薄膜が破断され、収容物を取り出すことができる。バックパネルのタブスプリットを剥離するときに薄膜が残るため、収容物を取り出す際に一定以上の強い力が必要となり、子供には取り出しにくく、誤飲を防止することができる。
【０００４】
また、特許文献２に開示されているブリスターパッケージは、プラスチック成形体の封止シートに引き裂き抵抗性のある不織層およびバリア層を含み、穿刺抵抗性を増大するものである。この封止シートは、アルミフォイル等破断しやすいバリア層が設けられ、バリア層にはプラスチック成形体のフランジ部に取り付けられるヒートシール層が設けられている。バリア層の反対側の面には、織布または不織材料であるバッキング層が接着結合層を介して設けられている。バッキング層は、十分な引き裂き強さと穿刺抵抗性を備えた材料で構成され、かつバリア層がプラスチック成形体から剥がれる剥離力未満で層間剥離するものである。ＰＴＰシートの収容物を取り出すときは、バッキング層を剥がし、バッキング層が層間剥離して薄膜がバリア層に残り、この状態でＰＴＰシートの突出部を押すと、封止シートと薄膜が破断され、収容物を取り出すことができる。バッキング層を剥がすときに薄膜が残るため、収容物を取り出す際に一定以上の強い力が必要となり、子供には取り出しにくく、誤飲を防止することができる。
【先行技術文献】
【特許文献】
【０００５】
【特許文献１】特表２００８−５４３６９３号公報
【特許文献２】特表２０１０−５２３４２８号公報
【発明の概要】
【発明が解決しようとする課題】
【０００６】
上記背景技術の場合、特許文献１のブリスターパックは、ＰＴＰシートの両面をフェースパネルとバックパネルで覆うため、ＰＴＰシートの封止シートに印刷されている商品名等の情報を確認することができないものであり、不便である。特許文献２のブリスターパックは、ＰＴＰシートの封止シート構造を特徴とするものであり、ＰＴＰシートの製造段階でプラスチック成形体との接着強度を設定してヒートシールする必要があり、市販のＰＴＰシートに利用することは考慮されていない。
【０００７】
この発明は、上記背景技術の問題点に鑑みてなされたものであり、ＰＴＰシートの封止シートにラベルを貼り付けるだけの簡単な操作で、ＰＴＰシートに収容された錠剤等の薬剤を安全に収容し、子供が取り出すことは難しく、成人には取り出し易いＰＴＰシート用包装体を提供することを目的とする。
【課題を解決するための手段】
【０００８】
本発明は、薬剤等の商品を内側に収容した複数の突出部と前記突出部の周囲に設けられたフランジ部を有するプラスチック成形体に、破断可能な封止シートが取り付けられて前記突出部の開口部が閉鎖されたＰＴＰシートに貼り付けられるラベルが設けられているＰＴＰシート用包装体である。前記ラベルは、前記ＰＴＰシートの前記封止シートに接着剤を介して貼り付けられ、前記突出部を覆う面積を有する所定形状にカットされ、高い破断強度を有し、前記ラベルは前記接着剤の前記封止シートへの取付強度よりも弱い力で層間剥離するものである。前記ラベルを貼り付けた状態で前記ＰＴＰシートから収容物の取り出しを阻止する遮蔽状態であり、前記ラベルを剥がした状態では取り出しが可能な開放状態であり、前記開放状態では、前記ラベルを剥がすときに前記ラベルが層間剥離を起こして前記ラベルの一部が薄膜となって前記封止シートに残り、前記薄膜は前記封止シートを所定の力以上で破断するように破断強度を高めるものである。
【０００９】
また、前記ラベルは合成紙であり、前記合成紙の厚みの途中には層間強度が弱い剥離層が設けられ、前記合成紙を前記ＰＴＰシートの前記封止シートから剥がした時に前記合成紙の一部が前記薄膜となり前記封止シートに残るものである。
【００１０】
また、前記ラベルは高い破断強度を有する表面紙と、前記表面紙に剥離剤を介して接着されたぜい質シートが設けられ、前記ぜい質シート側の面に前記接着剤が設けられて前記ＰＴＰシートの前記封止シートに貼り付けられ、前記表面紙を前記ＰＴＰシートの前記封止シートから剥がした時に前記ぜい質シートが前記薄膜となり前記封止シートに残るものである。
【００１１】
また、前記ラベルには前記ＰＴＰシートの前記突出部どうしを区切る破断線が設けられ、前記ラベルを剥がすときに前記破断線を切断して必要な個数の前記突出部を開放状態とし、周辺の前記突出部は遮蔽状態を維持するものである。
【００１２】
また、前記ＰＴＰシートの前記突出部側の面に、所定の強度を有し前記突出部が挿通される孔部が形成された台紙が設けられ、前記台紙は前記ＰＴＰシートよりも大きく形成され、前記ラベルは前記ＰＴＰシートよりも大きく形成されている。前記ＰＴＰシートを前記台紙に取り付けた時、前記ＰＴＰシートの前記封止シートと、前記封止シートから露出する前記台紙に、前記ラベルが貼り付けられ、前記ＰＴＰシートは前記台紙と前記ラベルに挟まれて保持されている。
【００１３】
また、前記ＰＴＰシートの前記突出部側の面に、所定の強度を有し前記突出部が挿通される孔部が形成された台紙が設けられ、前記台紙は前記ＰＴＰシートよりも大きく形成され前記ＰＴＰシートよりも側方に突出した側縁部に破断線で区切られた摘み部が形成され、前記ラベルは前記ＰＴＰシートよりも大きく形成され、前記ＰＴＰシートの前記突出部どうしを区切る破断線が設けられている。前記ＰＴＰシートを前記台紙に取り付けた時、前記ＰＴＰシートの前記封止シートと、前記封止シートから露出する前記台紙の前記摘み部に前記ラベルが貼り付けられ、前記ＰＴＰシートは前記台紙と前記ラベルに挟まれて保持されている。このとき、前記ラベルの前記破断線は前記摘み部の側縁部の延長線上に設けられる。前記台紙の前記摘み部を保持して前記破断線を切断して取り外すと、前記摘み部に貼り付けられている前記ラベルが追随して外され前記ラベルの前記破断線が切断されて必要な部分の前記ラベルが剥がされて開放状態となるものである。
【発明の効果】
【００１４】
本発明のＰＴＰシート用包装体は、ＰＴＰシートの封止シートに直接ラベルを貼り付けるだけの簡単な操作で、ＰＴＰシートに収容されている錠剤等の薬剤を安全に収納保持し、子供が取り出すことは難しく、成人には取り出し易いものとなる。ラベルを剥がす簡単な操作で、ＰＴＰシートから収容物を取り出す開放状態とすることができる。開放状態の時は、ラベルの一部が薄膜となって封止シートに残り、前記薄膜は前記封止シートを所定の力以上で破断するように破断強度を高め、子供の力では破断できないものとなり、より安全性を高めるものである。また、ＰＴＰシートを覆う面積が小さいため、ＰＴＰシートに印刷された商品名等の情報を確認することができ、成人の誤飲も防ぐことができる。
【図面の簡単な説明】
【００１５】
【図１】この発明の第一実施形態のＰＴＰシート用包装体の正面図（ａ）、Ａ−Ａ線縦断面図（ｂ）、Ｂ―Ｂ線横断面図（ｃ）である。
【図２】この発明の第一実施形態のＰＴＰシート用包装体のラベルの横断面図である。
【図３】この発明の第一実施形態の開放状態を示す横断面図である。
【図４】この発明の第一実施形態の錠剤を取り出す状態を示す横断面図である。
【図５】この発明の第二実施形態のＰＴＰシート用包装体の正面図（ａ）、Ａ−Ａ線縦断面図（ｂ）、Ｂ―Ｂ線横断面図（ｃ）である。
【図６】この発明の第二実施形態のＰＴＰシート用包装体のラベルの横断面図である。
【図７】この発明の第二実施形態の開放状態を示す線横断面図である。
【図８】この発明の第二実施形態の錠剤を取り出す状態を示す線横断面図である。
【図９】この発明の第三実施形態のＰＴＰシート用包装体の正面図（ａ）、Ａ−Ａ線縦断面図（ｂ）、Ｂ―Ｂ線横断面図（ｃ）、背面図（ｄ）である。
【図１０】この発明の第三実施形態の開放状態を示す線横断面図である。
【図１１】この発明の第四実施形態のＰＴＰシート用包装体の正面図（ａ）、Ａ−Ａ線縦断面図（ｂ）、Ｂ―Ｂ線横断面図（ｃ）、背面図（ｄ）である。
【図１２】この発明の第四実施形態の開放状態を示す線横断面図である。
【発明を実施するための形態】
【００１６】
以下、この発明の実施形態について図面に基づいて説明する。図１〜図４はこの発明の第一実施形態を示すもので、この実施形態のＰＴＰシート用包装体１０は、ＰＴＰシート１２に貼り付けるラベル１４が設けられている。図２はラベル１４を厚み方向に破断した断面図であり、ポリプロピレン等の合成樹脂を用いて形成された合成紙１６が設けられ、合成紙１６の厚みの途中には剥離層１８が設けられている。剥離層１８は、合成紙１６の、ＰＴＰシート１２に接着される内側面１６ａに近い位置の一定深さに設けられ、層間強度が弱く形成されている層である。剥離層１８の深さは例えば内側面１６ａから例えば１μ程度である。合成紙１６の内側面１６ａには、ＰＴＰシート１２に接着される粘着剤２０が設けられている。粘着剤２０の合成紙１６との接着強度及びＰＴＰシート１２との接着強度は、合成紙１６の剥離層１８の層間強度よりも強く設定されている。
【００１７】
ラベル１４は、図１に示すように、ＰＴＰシート１２に適した形状にカットされている。ここで、ＰＴＰシート１２について説明する。ＰＴＰシート１２は、プラスチック成形体２２が設けられ、プラスチック成形体２２には錠剤２４を収容する突出部２２ａと、突出部２２ａの周縁部のフランジ部２２ｂが設けられている。ここでは、５個の突出部２２ａが並べられた列が２列、互いに平行に形成され、合計１０個の突出部２２ａが設けられている。プラスチック成形体２２のフランジ部２２ｂには、突出部２２ａの突出方向と反対の面に薄い破断可能なアルミ製の封止シート２６が貼り付けられ、突出部２２ａが閉鎖されている。
【００１８】
ラベル１４は、ＰＴＰシート１２の封止シート２６に、粘着剤２０で貼り付けられている。ラベル１４は、封止シート２６よりも少し小さく形成され、しかもプラスチック成形体２２の突出部２２ａを１０個全部を含む大きさの矩形に形成されている。ラベル１４には、突出部２２ａを横並びの２個ずつに区切るジッパー線２８が設けられている。ジッパー線２８に交差するラベル１４の一方の側縁部１４ａには、ジッパー線２８との角部が丸く面取りされた切欠部３０が形成されている。
【００１９】
次にＰＴＰシート用包装体１０の使用方法について説明する。図１は、ＰＴＰシート用包装体１０のＰＴＰシート１２にラベル１４が貼られた遮蔽状態であり、ＰＴＰシート１２の突出部２２ａを押してもラベル１４が覆っているため封止シート２６が破断されず、錠剤２４を取り出すことができない。
【００２０】
ＰＴＰシート用包装体１０から錠剤２４を取り出すときは、図３に示すようにラベル１４の切欠部３０付近を保持してＰＴＰシート１２の封止シート２６からラベル１４の合成紙１６を引き剥がし、錠剤２４を取り出す開放状態とする。このとき、ラベル１４に形成されたジッパー線２８が切断され、必要な部分が剥がされて開放状態となり、周囲の部分は封止シート２６に貼り付けられた遮蔽状態が維持される。ラベル１４の合成紙１６は、厚みの途中で剥離層１８により剥離され、開放状態ではラベル１４の外側面１６ｂのみが外され、剥離層１８とＰＴＰシート１２に接着された内側面１６ａの間の部分は例えば１μ程度の薄膜１９になりＰＴＰシート１２に残る。開放状態で、図４に示すようにＰＴＰシート１２の突出部２２ａを押すと、錠剤２４が封止シート２６に当接して破断し、封止シート２６とともに薄膜１９も破断されて開口し、錠剤２４が取り出される。
【００２１】
この実施形態のＰＴＰシート用包装体１０によれば、簡単な構造で錠剤２４を安全に収容保持し、子供が取り出すことを確実に防ぎ、成人には容易に取り出すことができる。遮蔽状態ではＰＴＰシート１２の封止シート２６にラベル１４が貼られているため、強い力で突出部２２ａを押しても取り出すことができず、子供が遊んでも錠剤２４の誤飲を防ぐことができる。開放状態では、ラベル１４の薄膜１９とともに合成紙１６を破断するためには所定以上の力が必要であり、子供が不用意にＰＴＰシート用包装体１０を開放状態にした時も弱い力では錠剤２４を取り出すことができず、より安全である。ラベル１４の側縁部１４ａには切欠部３０が設けられ、剥がし易い構造である。ＰＴＰシート１２の封止シート２６にラベル１４を貼るだけであり、市販のＰＴＰシート１２に利用することができ、またＰＴＰシート１２のプラスチック成形体２２に印刷された商品名等の情報を隠すことがなく、成人の誤飲も防ぐことができる。
【００２２】
次にこの発明の第二実施形態について図５〜図８に基づいて説明する。なお、ここで、上記実施形態と同様の部材は同様の符号を付して説明を省略する。この実施形態のＰＴＰシート用包装体３２は、ＰＴＰシート１２に貼り付けるラベル３４が設けられている。図６はラベル３４を厚み方向に破断した断面図であり、表面紙３６が設けられている。表面紙３６は、ポリプロピレン製の合成紙１６や、紙の表面にコーティングを施したアート紙等である。表面紙３６の一方の面には、粘着剤３８が設けられている。粘着剤３８の、表面紙３６と反対側の面には、剥離剤４０を介してぜい質シート４２が取り付けられている。ぜい質シート４２は、透明なポリスチレン製であり、例えば２０μｍの厚みに形成されている。ぜい質シート４２の、表面紙３６と反対側の面にはＰＴＰシート１２に接着される粘着剤２０が設けられている。
【００２３】
ラベル３４は、図５に示すようにＰＴＰシート１２の封止シート２６に、粘着剤２０で貼り付けられている。ラベル３４の形状は矩形であり、ＰＴＰシート１２の突出部２２ａが５個並んでいる長手方向の長さはＰＴＰシート１２より少し短く、長手方向に交差する長さはＰＴＰシート１２より少し長く形成され、ＰＴＰシート１２の一方の側縁部から側縁部３４ａが少し側方に突出する。なお、突出部２２ａを１０個全部を含む大きさである。ラベル３４には、突出部２２ａを横並びの２個ずつに区切るジッパー線４４が設けられている。ジッパー線４４に交差するラベル３４の側縁部３４ａは、ＰＴＰシート１２の封止シート２６から少し側方に向かって突出し、ジッパー線４４との角部が丸く面取りされた切欠部４５が形成されている。側縁部３４ａには、所定幅の糊殺し部４３が側縁部３４ａに沿って設けられ、糊殺し部４３は表面紙３６の粘着剤３８側の面に粘着剤３８の粘着を防ぐコーティング等が施され、表面紙３６のみが設けられ、粘着剤３８、剥離剤４０、ぜい質シート４２、粘着剤２０がなく、表面紙３６のみが封止シート２６から側方に突出して浮いている。
【００２４】
次に、ＰＴＰシート用包装体３２の使用方法について説明する。図５は、ＰＴＰシート用包装体３２のＰＴＰシート１２にラベル３４が貼られた遮蔽状態であり、ＰＴＰシート１２の突出部２２ａを押してもラベル３４が覆っているため封止シート２６が破断されず、錠剤２４を取り出すことができない。
【００２５】
ＰＴＰシート用包装体３２から錠剤２４を取り出すときは、図７に示すようにラベル３４の側縁部３４ａの、糊殺し部４３付近を保持して、ＰＴＰシート１２の封止シート２６からラベル３４の表面紙３６を引き剥がし、錠剤２４を取り出すことができる開放状態となる。この時、ラベル３４に形成されたジッパー線４４が切断され、必要な部分が剥がされて開放状態となり、周囲の部分は封止シート２６に貼り付けられた遮蔽状態が維持される。ラベル３４は、厚みの途中で剥離剤４０から粘着剤３８が剥がれ、開放状態ではラベル３４の表面紙３６のみが外れ、ぜい質シート４２は封止シート２６に粘着剤２０で接着された状態で薄膜として残る。開放状態で、図８に示すようにＰＴＰシート１２の突出部２２ａを押すと、錠剤２４が封止シート２６に当接して破断し、封止シート２６とともにぜい質シート４２も破断されて開口し、錠剤２４が取り出される。
【００２６】
この実施形態のＰＴＰシート用包装体３２によれば、上記実施の形態と同様の効果を有するものである。ラベル３４の側縁部３４ａは糊殺し部４３となってＰＴＰシート１２から側方に突出して掴みやすく、またラベル３４の表面紙３６は簡単に剥離剤４０でぜい質シート４２から剥がれる為、表面紙３６を外す操作が簡単であり、容易に開放状態とすることができる。開放状態では、残ったぜい質シート４２を破断するためには所定以上の力が必要であり、子供が不用意にＰＴＰシート用包装体１０を開放状態にした時も弱い力では錠剤２４を取り出すことができず、より安全である。ぜい質シート４２は透明なポリスチレン製であるため、ぜい質シート４２が封止シート２６に残っていても封止シート２６に印刷された商品名等の情報を確認することができ、成人の誤飲も防ぐことができる。
【００２７】
次に、この発明の第三実施形態について図９、図１０に基づいて説明する。なお、ここで上記実施形態と同様の部材は同様の符号を付して説明を省略する。この実施形態のＰＴＰシート用包装体４６は、ＰＴＰシート１２に貼り付けるラベル４８と台紙５０で作られている。
【００２８】
台紙５０は、図９に示すように、厚紙等の一枚のブランクシートを打ち抜いて作られたものであり、ＰＴＰシート１２よりも大きく一方向に長い矩形にカットされている。台紙５０の、長手方向に対して平行な側縁部５０ａには、摘み部５２が５個並べられて設けられている。摘み部５２は、側縁部５０ａを一辺とする矩形であり、５個が同形状であり互いに側縁部５０ａに対して直角な破断線５４で区切られて連接して設けられ、側縁部５０ａと反対側の辺は側縁部５０ａに対して平行な切り込みであるジッパー線５６であり、周辺の部分と区切られている。台紙５０には、ＰＴＰシート１２の突出部２２ａに対応する位置に突出部２２ａが挿通される円形の孔部５８が設けられている。孔部５８は５個に並べられた列が２列、互いに平行に形成され、５個の摘み部５２は、孔部５８の側方に各々対応して設けられている。摘み部５２の、破断線５４と側縁部５０ａが交差する角部には、丸く面取りされた切欠部５５が形成されている。
【００２９】
ラベル４８は、上記第一実施形態のラベル１４と同じものであり、ポリプロピレン製の合成紙１６が設けられ、合成紙１６の厚みの途中には剥離層１８が設けられている。合成紙１６の内側面１６ａには、ＰＴＰシート１２と台紙５０に接着される粘着剤２０が設けられている。ラベル４８は、ＰＴＰシート１２より大きく、台紙５０より小さい矩形に形成されている。ラベル４８は、ＰＴＰシート１２の封止シート２６に貼られた時に突出部２２ａを横並びの２個ずつに区切るジッパー線６０が設けられている。ジッパー線６０に交差するラベル４８の側縁部４８ａには、ジッパー線６０との角部が丸く面取りされた切欠部６２が形成されている。
【００３０】
次に、ＰＴＰシート用包装体４６の組立方法について説明する。まず、台紙５０の一方の面にＰＴＰシート１２をセットする。この時、ＰＴＰシート１２のプラスチック成形体２２を台紙５０に当接し、突出部２２ａを台紙５０の孔部５８に差し込み、他方の面へ突出させる。次にラベル４８を、ＰＴＰシート１２の封止シート２６と、封止シート２６から露出する台紙５０に貼り付ける。この時、ラベル４８のジッパー線６０は、ＰＴＰシート１２の突出部２２ａを横並びの２個ずつに区切り、ラベル４８の側縁部４８ａは、台紙５０のジッパー線６０を超えて摘み部５２の一部を覆って貼り付けられる。摘み部５２どうしを区切る破断線５４に、ラベル４８のジッパー線６０がほぼ一致する。
【００３１】
次にＰＴＰシート用包装体４６の使用方法について説明する。図９は、ＰＴＰシート用包装体４６のＰＴＰシート１２にラベル４８が貼られた遮蔽状態であり、ＰＴＰシート１２の突出部２２ａを押してもラベル４８が覆っているため封止シート２６が破断されず、錠剤２４を取り出すことができない。
【００３２】
ＰＴＰシート用包装体４６から錠剤２４を取り出すときは、図１０に示すように台紙５０の摘み部５２を保持してラベル４８が貼られている面の方へ引き起こす。すると、摘み部５２は、破断線５４とジッパー線５６が切断されて台紙５０から外れるが、ラベル４８の側縁部４８ａが貼り付けられているため離れず、摘み部５２を引き起こすにつれてラベル４８のジッパー線６０が分割されて帯状となり、帯状に区切られたラベル４８が、台紙５０と、ＰＴＰシート１２の封止シート２６から剥がされ、錠剤２４を取り出す開放状態となる。このとき、ラベル４８に形成されたジッパー線６０が切断され、必要な部分が剥がされて開放状態となり、周囲の部分は封止シート２６に貼り付けられた遮蔽状態が維持される。ラベル４８の合成紙１６は、厚みの途中で剥離層１８により剥離され、開放状態ではラベル４８の外側面１６ｂのみが外され、剥離層１８とＰＴＰシート１２に接着された内側面１６ａの間の部分は薄膜１９になりＰＴＰシート１２に残る。開放状態で、ＰＴＰシート１２の突出部２２ａを押すと、錠剤２４が封止シート２６に当接して破断し、封止シート２６とともに薄膜１９も破断されて開口し、錠剤２４が取り出される。
【００３３】
この実施形態のＰＴＰシート用包装体４６によれば、上記実施の形態と同様の効果を有するものである。ＰＴＰシート１２よりも大きい台紙５０が取り付けられているため、持ちやすくて錠剤２４を取り出す操作等が容易となり、また紛失等を防ぐことができる。ラベル４８を剥がすときは、台紙５０の摘み部５２を保持して引き起こすとラベル４８が追随して外れるため、摘み部５２はラベル４８よりも厚みがあることから保持しやすいものであり、開放状態にする操作が簡単になる。台紙５０に、商品名や成分等の情報を印刷することができ、多くの情報を使用者に伝えることができる。台紙５０が大きくて持ちやすいため、ラベル４８の貼り付け操作が容易になり、製造効率が良好となる。
【００３４】
次に、この発明の第四実施形態について図１１、図１２に基づいて説明する。なお、ここで上記実施形態と同様の部材は同様の符号を付して説明を省略する。この実施形態のＰＴＰシート用包装体６４は、ＰＴＰシート１２に貼り付けるラベル６６と台紙６８で作られている。
【００３５】
台紙６８は、図１１に示すように、厚紙等の一枚のブランクシートを打ち抜いて作られたものであり、ＰＴＰシート１２よりも大きく、一方向に長い矩形にカットされている。台紙６８には、ＰＴＰシート１２の突出部２２ａに対応する位置に突出部２２ａが挿通される円形の孔部７０が設けられている。孔部７０は５個に並べられた列が２列、互いに平行に形成されている。
【００３６】
ラベル６６は、上記第二実施形態のラベル３４と同じものであり、表面紙３６が設けられている。表面紙３６は、ポリプロピレン製の合成紙１６や、紙の表面にコーティングを施したアート紙等である。表面紙３６の一方の面には、粘着剤３８が設けられている。粘着剤３８の、表面紙３６と反対側の面には、剥離剤４０を介してぜい質シート４２が取り付けられている。ぜい質シート４２は、透明なポリスチレン製であり、例えば２０μｍの厚みに形成されている。ぜい質シート４２の、表面紙３６と反対側の面にはＰＴＰシート１２と台紙６８に接着される粘着剤２０が設けられている。
【００３７】
ラベル６６は、ＰＴＰシート１２より大きく、台紙６８より小さい矩形に形成されている。ラベル６６は、ＰＴＰシート１２の封止シート２６に貼られた時に突出部２２ａを横並びの２個ずつに区切るジッパー線７２が設けられている。ジッパー線７２に交差するラベル６６の側縁部６６ａには、ジッパー線７２との角部が丸く面取りされた切欠部７４が形成されている。側縁部６６ａには、所定幅の糊殺し部７６が設けられ、糊殺し部７６には表面紙３６のみが設けられ、粘着剤３８、剥離剤４０、ぜい質シート４２、粘着剤２０がなく、表面紙３６のみが台紙６８から浮いている。
【００３８】
次に、ＰＴＰシート用包装体６４の組立方法について説明する。まず、台紙６８の一方の面にＰＴＰシート１２をセットする。この時、ＰＴＰシート１２のプラスチック成形体２２を台紙６８に当接し、突出部２２ａを台紙６８の孔部７０に差し込み、他方の面へ突出させる。次にラベル６６を、ＰＴＰシート１２の封止シート２６と、封止シート２６から露出する台紙６８に貼り付ける。この時、ラベル６６のジッパー線７２は、ＰＴＰシート１２の突出部２２ａを横並びの２個ずつに区切り、ラベル６６の側縁部６６ａは、台紙６８の内側に位置している。
【００３９】
次にＰＴＰシート用包装体６４の使用方法について説明する。図１１は、ＰＴＰシート用包装体６４のＰＴＰシート１２にラベル６６が貼られた遮蔽状態であり、ＰＴＰシート１２の突出部２２ａを押してもラベル６６が覆っているため封止シート２６が破断されず、錠剤２４を取り出すことができない。
【００４０】
ＰＴＰシート用包装体６４から錠剤２４を取り出すときは、図１２に示すようにラベル６６の糊殺し部７６の、切欠部７４付近を保持して、ＰＴＰシート１２の封止シート２６からＰＴＰシート用包装体６４の表面紙３６を引きはがし、錠剤２４を取り出すことができる開放状態となる。このとき、ラベル６６に形成されたジッパー線７２が切断され、必要な部分が剥がされて開放状態となり、周囲の部分は封止シート２６に貼り付けられた遮蔽状態が維持される。ラベル６６は、厚みの途中で剥離剤４０から粘着剤３８が剥がれ、開放状態ではラベル６６の表面紙３６のみが外れ、ぜい質シート４２は封止シート２６に粘着剤２０で接着された状態で薄膜として残る。開放状態で、ＰＴＰシート１２の突出部２２ａを押すと、錠剤２４が封止シート２６に当接して破断し、封止シート２６とともにぜい質シート４２も破断されて開口し、錠剤２４が取り出される。
【００４１】
この実施形態のＰＴＰシート用包装体６４によれば、上記実施の形態と同様の効果を有するものである。ＰＴＰシート１２よりも大きい台紙６８が取り付けられているため、持ちやすくて錠剤２４を取り出す操作等が容易となり、また紛失等を防ぐことができる。台紙６８に、商品名や成分等の情報を印刷することができ、多くの情報を使用者に伝えることができる。ラベル６６は、側縁部６６ａに糊殺し部７６が設けられ、台紙６８から浮いているため摘みやすいものであり、開放状態にする操作が簡単になる。
【００４２】
なお、この発明のＰＴＰシート用包装体は、上記各実施形態に限定されるものではなく、収容する錠剤の数は適宜変更可能であり、ＰＴＰシートの突出部の数に合わせて包装体形成片の孔部とラベルのジッパー線の数を変更して簡単に対応することができる。ＰＴＰシートの素材は、いろいろなものに対応することができる。収容される錠剤は、薬剤に限らず他の商品でもよい。また、ラベルや台紙の形状は適宜変更可能であり、例えば第１実施形態のラベルの形状を、第２実施形態のラベルの構造を用いて作ってもよく、その逆でもよい。台紙の素材は、紙以外にプラスチック等もよく、ラベルの素材も確実に錠剤の取り出しを防ぎ、薄膜が残るものであればよい。
【符号の説明】
【００４３】
１０，３２，４６，６４  ＰＴＰシート用包装体
１２  ＰＴＰシート
１４，３４，４８，６６  ラベル
１６  合成紙
１８  剥離層
２０  粘着剤
２２  プラスチック成形体
２２ａ  突出部
２２ｂ  フランジ部
２４  錠剤
２６  封止シート
２８，４４，５６，６０，７２  ジッパー線
３６  表面紙
３８  粘着剤
４０  剥離剤
４２  ぜい質シート
４３，７６  糊殺し部
５０，６８  台紙
５２  摘み部
５４  破断線
５８，７０  孔部
【図１】
2015009888.tif 000003
【図２】
2015009888.tif 000004
【図３】
2015009888.tif 000005
【図４】
2015009888.tif 000006
【図５】
2015009888.tif 000007
【図６】
2015009888.tif 000008
【図７】
2015009888.tif 000009
【図８】
2015009888.tif 000010
【図９】
2015009888.tif 000011
【図１０】
2015009888.tif 000012
【図１１】
2015009888.tif 000013
【図１２】
2015009888.tif 000014